(57)【要約】【課題】  データ格納領域が小さい情報処理端末でクッキー情報を効果的に管理できる管理方法を提供する。【解決手段】ウェブブラウザ２がクッキー情報の保存を要求すると、クッキー情報生成／削除部１３は、保存要求されたクッキー情報のドメイン名およびパス名を用いてブックマーク記憶部４を検索し、ドメイン名およびパス名と一致するＵＲＬが格納されていれば、そのクッキー情報をクッキー情報記憶部３に格納する。クッキー容量管理部１４は、クッキー情報記憶部３の残容量を監視し、残容量が所定量以下の場合に、ウェブブラウザ２にクッキー情報の一覧を表示させ、クッキー情報生成／削除部１３は、ユーザが一覧表示から選択したクッキー情報を削除する。【選択図】  図１
2005339454.tif 000002
【特許請求の範囲】
【請求項１】
ウェブページを閲覧するウェブブラウザと、ウェブサイトに関連づけられたクッキー情報を格納するクッキー情報記憶手段と、ユーザによって選択されたウェブサイト位置情報を格納するブックマーク記憶手段とを備えた情報処理端末においてクッキー情報を管理するクッキー情報管理方法であって、
保存要求されたクッキー情報のドメイン名およびパス名を用いて前記ブックマーク記憶手段を検索し、
前記ドメイン名およびパス名と一致するウェブサイト位置情報が前記ブックマーク記憶手段に格納されている場合に、前記クッキー情報を前記クッキー情報記憶手段に格納する
ことを特徴とするクッキー情報管理方法。
【請求項２】
前記ブックマーク記憶手段の各ウェブサイト位置情報について、クッキー情報の保存要求の許可または拒否のいずれかを示す保存受付設定を付与し、
前記クッキー情報のドメイン名およびパス名を用いて前記ブックマーク記憶手段を検索し、
前記ドメイン名およびパス名と一致し、かつ許可を示す保存受付設定が付与されたウェブサイト位置情報が前記ブックマーク記憶手段に格納されている場合に、前記クッキー情報を前記クッキー情報記憶手段に格納する
ことを特徴とする請求項１記載のクッキー情報管理方法。
【請求項３】
前記ブックマーク記憶手段からウェブサイト位置情報が削除された場合に、前記ウェブサイト位置情報と一致するドメイン名およびパス名のクッキー情報を前記クッキー情報記憶手段から削除する
ことを特徴とする請求項１記載のクッキー情報管理方法。
【請求項４】
前記ブックマーク記憶手段のウェブサイト位置情報のドメイン名およびパス名と一致するクッキー情報を前記クッキー情報記憶手段から取得し、
前記ウェブサイト位置情報および前記クッキー情報を組み合わせた通信データを生成して送信する
ことを特徴とする請求項１記載のクッキー情報管理方法。
【請求項５】
ウェブページを閲覧するウェブブラウザと、ウェブサイトに関連づけられたクッキー情報を格納するクッキー情報記憶手段と、ユーザによって選択されたウェブサイト位置情報を格納するブックマーク記憶手段とを備えた情報処理端末に、クッキー情報を管理するクッキー情報管理処理を実行させるためのプログラムであって、
保存要求されたクッキー情報のドメイン名およびパス名を用いて前記ブックマーク記憶手段を検索し、
前記ドメイン名およびパス名と一致するウェブサイト位置情報が前記ブックマーク記憶手段に格納されている場合に、前記クッキー情報を前記クッキー情報記憶手段に格納するプログラムである
ことを特徴とするクッキー情報管理プログラム。
【発明の詳細な説明】
【技術分野】
【０００１】
本発明は、小容量のデータ格納領域を備えてデータ処理を行う組み込み装置のようにクッキー情報の保存容量に制約がある情報処理端末におけるＨＴＴＰ（ＨｙｐｅｒＴｅｘｔ  Ｔｒａｎｓｆｅｒ  Ｐｒｏｔｏｃｏｌ）のクッキー情報管理方法およびクッキー情報管理プログラムに関する。
【背景技術】
【０００２】
一般的なコンピュータで利用されるウェブブラウザ（インターネットブラウザ）は、ＨＴＴＰにおけるクッキー情報（Ｃｏｏｋｉｅ）を用いたデータ通信をサポートする。クッキー情報は、インターネットのサービスを行うサーバがクライアント側にデータを送信するために利用する、クライアント側に保持されるデータである。クッキー情報は、ユーザ識別などに使用される。
【０００３】
コンピュータのウェブブラウザは、例えばウェブサーバの要求やウェブページのスクリプトなどにもとづいて、コンピュータのデータ格納領域にクッキー情報を保存する。クッキー情報は些細なデータ量であるため、クッキー情報の保存について特別な容量管理は実施されていない。すなわち、クッキー情報は、コンピュータのオペレーティング・システム（ＯＳ）が提供するファイルシステム全体の容量管理の中で他のデータと同様に管理される。
【０００４】
また、クッキー情報には有効期限が設定され、有効期限経過後に削除される。さらに、ウェブブラウザは、ユーザに対してクッキー情報を一括して削除する機能を提供している。
【０００５】
携帯電話端末などのようにデータ格納領域が小さい情報処理端末では、ＨＴＴＰプロトコルにおけるクッキー機能をサポートしない場合が多い。これは、データ格納領域に保存されるクッキー情報がユーザの意図に関係なく増加するためである。
【０００６】
しかし、昨今では、例えば携帯電話端末においても、ＨＴＭＬコンテンツを表示するウェブブラウザを搭載するようになっている。そのため、ＨＴＭＬコンテンツに効果的にアクセスできるように、ウェブブラウザにおいてＨＴＴＰプロトコルを補完するクッキー機能のサポートを行う携帯電話端末もある。
【０００７】
例えば、 ＨＴＭＬのＦＯＲＭによりＩＤやパスワードを入力することで認証を行った場合に、認証済であることを識別するクッキー情報を生成して携帯電話端末のデータ格納領域に保存することにより、次のアクセス時に新たな認証を行わずにアクセスを許可することができるようになる。
【０００８】
そこで、記憶容量が少なくクッキー情報の保存に制約があるような情報処理端末においてクッキー情報を効果的に利用できるようにするため、クッキー情報の容量管理が重要である。
【０００９】
クッキー情報の管理の従来手法として、所定のクッキー情報用の記憶手段で空き容量が不足した場合には先入れ先出し方式によって新しいクッキー情報を保存できるようにし、さらに永続的に保存しておきたいクッキー情報に対して識別子を付与して消去対象としないようにすることで、クッキー情報の保存管理を行う手法がある（特許文献１参照）。
【特許文献１】特開２００３−２８８２４０号公報
【発明の開示】
【発明が解決しようとする課題】
【００１０】
前記のように、携帯電話端末のようにデータ格納領域に制約がある情報処理端末において、ＨＴＭＬコンテンツへ効率的なアクセスを図るべくＨＴＴＰのクッキー機能をサポートするためにクッキー情報の容量管理が必要となる。
【００１１】
特許文献１の手法では、ドメイン名およびパス名で特定される同一の名前空間、すなわち同一ディレクトリ配下の複数のクッキー情報を一括りにし、古くなったクッキー情報を削除する場合にその括り単位で削除するようにしている。
【００１２】
あるウェブサイトへの最終アクセスから長時間を経ている場合に、そのウェブサイト（ディレクトリ）のクッキー情報については一括して消去対象となるため、保存するクッキー情報が相対的に古い情報となっていれば削除される。そして、アクセス間隔があくが永続的に保存しておきたいクッキー情報については、ユーザが、個別に明示的に識別情報を付与するという新たな操作を行わなければならない。
【００１３】
本発明の目的は、データの格納領域が小さい情報処理端末において、限定された記憶容量の中でＨＴＴＰのクッキー情報を効果的に管理し、ＨＴＴＰのクッキー機能をサポートできるようなクッキー情報の管理方法および前記方法を情報処理端末に実行させるためのプログラムを提供することである。
【課題を解決するための手段】
【００１４】
本発明は、クッキー情報の保存要求に対する許否の判断においてユーザのアクセス傾向を示すブックマーク登録やアクセス実績を示す履歴情報を用いることにより、クッキー情報の管理にユーザの意図を反映させ、使用される可能性が高いクッキー情報が優先的に保存できるようにするものである。したがって、ウェブサイトへの効果的なアクセスを図ることができる。
【００１５】
本発明は、ウェブページを閲覧するウェブブラウザと、ウェブサイトに関連づけられたクッキー情報を格納するクッキー情報記憶手段と、ユーザによって選択されたウェブサイト位置情報を格納するブックマーク記憶手段とを備えた情報処理端末においてクッキー情報を管理するクッキー情報管理方法であって、１）保存要求されたクッキー情報のドメイン名およびパス名を用いて前記ブックマーク記憶手段を検索し、２）前記ドメイン名およびパス名と一致するウェブサイト位置情報が前記ブックマーク記憶手段に格納されている場合に、前記クッキー情報を前記クッキー情報記憶手段に格納することを特徴とする。
【００１６】
一般的に、ブックマークにウェブサイト位置情報（例えばＵＲＬ）が登録されたウェブサイトへのアクセスは頻度が高いと考えられる。本発明は、ブックマークされたウェブサイト（ディレクトリ）のクッキー情報のように使用頻度が高いと予測されるクッキー情報を選択的に保存する。したがって、効率的なクッキー情報管理を実現できる。
【００１７】
また、本発明は、前記の処理を行う場合に、１）前記ブックマーク記憶手段の各ウェブサイト位置情報について、クッキー情報の保存要求の許可または拒否のいずれかを示す保存受付設定を付与し、２）前記クッキー情報のドメイン名およびパス名を用いて前記ブックマーク記憶手段を検索し、３）前記ドメイン名およびパス名と一致し、かつ許可を示す保存受付設定が付与されたウェブサイト位置情報が前記ブックマーク記憶手段に格納されている場合に、前記クッキー情報を前記クッキー情報記憶手段に格納することを特徴とする。
【００１８】
本発明は、ブックマークされたウェブサイト位置情報（ＵＲＬ）について、ユーザがクッキー情報の保存許否を設定できるようにし、ユーザが希望するクッキー情報を永続的に保存できるようにする。したがって、さらに効率的なクッキー情報管理が可能となる。
【００１９】
または、本発明は、前記ブックマーク記憶手段からウェブサイト位置情報が削除された場合に、前記ウェブサイト位置情報と一致するドメイン名およびパス名のクッキー情報を前記クッキー情報記憶手段から削除することを特徴とする。
【００２０】
ブックマークからＵＲＬが削除されることに連動して、使用頻度が低下したと考えられるクッキー情報を削除することにより、限定されたデータ記憶領域を効率的に使用したクッキー情報管理が可能となる。
【００２１】
なお、本発明では、ユーザは、クッキー情報を格納する記憶容量の残量や、格納されているクッキー情報の一覧を確認し、さらに不要となったクッキー情報を選択して削除することもできる。したがって、データ格納領域を効率的に使用したクッキー情報管理が可能となる。
【００２２】
また、本発明は、１）前記ブックマーク記憶手段のウェブサイト位置情報のドメイン名およびパス名と一致するクッキー情報を前記クッキー情報記憶手段から取得し、２）前記ウェブサイト位置情報および前記クッキー情報を組み合わせた通信データを生成して送信することを特徴とする。
【００２３】
本発明では、ユーザは、ブックマークの情報とともにブックマークされたＵＲＬに関連するクッキー情報を、情報処理端末同士で交換することができる。したがって、ユーザは、利用中のウェブブラウザの使用環境を、他の情報処理端末において簡単に実現することができる。
【００２４】
また、本発明は、ウェブページを閲覧するウェブブラウザと、ウェブサイトに関連づけられたクッキー情報を格納するクッキー情報記憶手段と、ユーザによって選択されたウェブサイト位置情報を格納するブックマーク記憶手段とを備えた情報処理端末に、クッキー情報を管理するクッキー情報管理処理を実行させるためのプログラムであって、１）保存要求されたクッキー情報のドメイン名およびパス名を用いて前記ブックマーク記憶手段を検索し、２）前記ドメイン名およびパス名と一致するウェブサイト位置情報が前記ブックマーク記憶手段に格納されている場合に、前記クッキー情報を前記クッキー情報記憶手段に格納するものである。
【００２５】
本発明のプログラムは、情報処理端末が読み取り可能な、可搬媒体メモリ、半導体メモリ、ハードディスクなどの適当な記録媒体に格納することができ、これらの記録媒体に記録して提供され、または通信インタフェースを介して種々の通信網を利用した送受信により提供されるものである。
【発明の効果】
【００２６】
本発明によれば、例えば携帯電話端末などのデータ格納領域が少なくクッキーの保存に制約があるような情報処理端末であっても、ＨＴＴＰのクッキー機能を効果的に利用することができる。
【発明を実施するための最良の形態】
【００２７】
本発明を実施するための最良の形態として、本発明を携帯電話端末に適用する実施例を説明する。
【００２８】
図１に、実施例における本発明の構成例を示す。
【００２９】
携帯電話端末１は、ウェブブラウザ２、クッキー情報記憶部３、ブックマーク記憶部４、ＵＲＬ履歴記憶部５、クッキー情報管理部１０、ブックマーク設定管理部２０、ＵＲＬ履歴設定管理部３０およびブックマーク通信部４０を備える。
【００３０】
ウェブブラウザ２は、インターネット上のウェブページなどを閲覧する処理手段である。ウェブブラウザ２は、ウェブサーバの要求、ウェブページのスクリプトなどによるクッキー情報の保存要求や更新要求などをクッキー情報管理部１０に通知する。また、ウェブブラウザ２は、ユーザが選択したブックマークの対象としてウェブページの位置情報（ＵＲＬ）をブックマーク記憶部４に登録し、ユーザが閲覧したウェブページの位置情報（ＵＲＬ）をＵＲＬ履歴記憶部５に登録する。
【００３１】
クッキー情報記憶部３は、ウェブブラウザ２において使用されるクッキー情報を格納するデータ記憶手段である。図２に、クッキー情報のデータ構成例を示す。クッキー情報は、名前＝値、期限、ドメイン名、パス名、セキュア指示子、生成／更新日時、参照日時などの情報から構成される。以下に、クッキー情報の記述内容例を示す。
”ＩＤ＝００１１
Ｅｘｐｉｒｅ：２００２／０３／０５
Ｄｏｍａｉｎ：ｆｆｆ．ｃｏｍ
Ｐａｔｈ：／ｈｔｍｌ／ｉ／ｄａｔａ／
Ｓｅｃｕｒｅ：ｎｏ”
図２に示すように、クッキー情報記憶部３には、インデックス番号（ｉｎｄｅｘ）が付与されてクッキー情報が格納される。
【００３２】
クッキー情報の格納方式として、以下のような固定的格納方法または動的格納方法がある。固定的格納方法では、クッキー情報の１件の最大容量、最大格納件数を固定的に決め、クッキー情報記憶部３として、その乗算分を保持しクッキー情報を格納する方法である。例えば、クッキー情報記憶部３として、１件４ｋｂｙｔｅ、３００件の１２００ｋｂｙｔｅ分の固定領域が保持され、クッキー情報１件に付き４ｋｂｙｔｅの領域が必ず確保される。
【００３３】
動的格納方法では、クッキー情報の１件の最大容量は固定的に決め、クッキー情報記憶部３としての領域を動的に管理する方法である。例えば、１件４ｋｂｙｔｅ、３００件の１２００ｋｂｙｔｅ分の固定領域を保持するが、クッキー情報１件に付き必要容量の領域だけが使用される。なお、この場合には、３００件以上のクッキー情報が格納可能となる。
【００３４】
クッキー情報管理部１０は、クッキー情報の作成、参照、更新、削除などを行い、クッキー情報記憶部３のクッキー情報を管理する処理手段である。
【００３５】
ブックマーク設定管理部２０は、ブックマーク記憶部４に登録されたブックマーク対象のＵＲＬごとに、クッキー情報の保存要求の許否を示す保存受付設定（個別設定）を付与または更新する処理手段である。
【００３６】
ＵＲＬ履歴設定管理部３０は、ＵＲＬ履歴記憶部５に登録されたＵＲＬごとに、クッキー情報の保存要求の許否を示す保存受付設定（個別設定）を付与または更新する処理手段である。
【００３７】
ブックマーク設定管理部２０およびＵＲＬ履歴設定管理部３０は、ＵＲＬごとに、ユーザの選択によって、クッキー情報記憶部３に保存された関連するクッキー情報を削除対象としないことを示すユーザ保護設定を、全体設定管理部１１に通知する。
【００３８】
ブックマーク通信部４０は、ブックマーク情報またはＵＲＬ履歴情報のＵＲＬおよびそのＵＲＬに関連するクッキー情報を、ファイル単位もしくはデータ単位で他の携帯電話端末１（図示しない）と送信または受信する処理手段である。
【００３９】
ブックマーク記憶部４は、ユーザによってブックマーク対象として選択されたウェブサイトのＵＲＬ、およびそのＵＲＬに対するクッキー情報の保存の許否を示す保存受付設定からなるブックマーク情報を格納するデータ記憶手段である。図３に、ブックマーク情報のデータ構成例を示す。
【００４０】
ＵＲＬ履歴記憶部５は、ウェブブラウザ２で閲覧したウェブサイトのＵＲＬ、およびそのＵＲＬに対するクッキー情報の保存の許否を示す保存受付設定からなるＵＲＬ履歴情報を格納するデータ記憶手段である。
【００４１】
クッキー情報管理部１０は、全体設定管理部１１、全体設定記憶部１２、クッキー情報生成／削除部１３、およびクッキー容量管理部１４を備える。
【００４２】
全体設定管理部１１は、クッキー情報に対する全体的な保存要求の許否を示す保存受付全体設定（全体設定）を全体設定記憶部１２に格納する処理手段である。
【００４３】
全体設定管理部１１は、クッキー情報の保存要求に対し全体的に許可（ＯＫ）もしくは拒否（ＮＧ）のいずれかの設定（全体設定）をユーザに選択させる画面を携帯電話端末１の表示画面（図示しない）に表示し、ユーザが選択した全体設定を全体設定記憶部１２に格納する。全体設定は、後述するＵＲＬごとの保存受付設定（個別設定）が設定されていない場合に参照される。
【００４４】
また、全体設定管理部１１は、ウェブブラウザ２から通知されたユーザ保護設定のクッキー情報にもとづいて、クッキー情報記憶部３の該当するクッキー情報にユーザ保護設定を付与する。また、ブックマーク設定管理部２０またはＵＲＬ履歴設定管理部３０から通知されたユーザ保護設定されたＵＲＬにもとづいて、そのＵＲＬのクッキー情報にユーザ保護設定を付与する。
【００４５】
クッキー情報生成／削除部１３は、ウェブブラウザ２から通知されたクッキー情報の保存要求／更新要求に従ってクッキー情報を生成もしくは更新し、または、削除対象となったクッキー情報をクッキー情報記憶部３から削除する処理手段である。
【００４６】
クッキー情報生成／削除部１３は、ウェブブラウザ２からクッキー情報の保存要求があった場合に、保存受付設定が許可（ＯＫ）であるときは、要求されたクッキー情報をクッキー情報記憶部３に保存する。
【００４７】
具体的には、クッキー情報生成／削除部１３は、ウェブブラウザ２からクッキー情報の保存要求を受け付けると、そのクッキー情報のドメイン名およびパス名を用いて、ブックマーク設定管理部２０に問い合わせる。ブックマーク設定管理部２０は、ブックマーク記憶部４に、クッキー情報のドメイン名およびパス名と一致するＵＲＬが格納されているときは、そのブックマーク情報を返却する。
【００４８】
クッキー情報生成／削除部１３は、ブックマーク情報の保存受付設定（個別設定）をチェックし、「個別設定＝ＯＫ」であれば、保存要求されたクッキー情報をクッキー情報記憶部３に格納し、保存完了をウェブブラウザ２へ通知する。また「個別設定＝設定なし」であれば、全体設定記憶部１２を参照し、全体設定＝ＯＫであれば、保存要求されたクッキー情報をクッキー情報記憶部３に格納し、保存完了をウェブブラウザ２へ通知する。一方、「個別設定＝ＮＧ」であれば、クッキー情報の保存要求の拒否をウェブブラウザ２へ通知する。
【００４９】
また、クッキー情報生成／削除部１３は、クッキー容量管理部１４から、有効期限経過などの所定の判定条件で選択された削除対象のクッキー情報を受け付け、これらのクッキー情報をクッキー情報記憶部３から削除する。または、クッキー情報生成／削除部１３は、ウェブブラウザ２から、ユーザが選択した削除対象のクッキー情報を受け付け、これらのクッキー情報をクッキー情報記憶部３から削除する。
【００５０】
クッキー情報生成／削除部１３は、クッキー情報の保存要求１件辺り４ｋｂｙｔｅ分のデータ領域として削除対象のクッキー情報を削除する。
【００５１】
クッキー容量管理部１４は、所定の期間もしくは契機でクッキー情報記憶部３の容量を監視し、所定の条件にもとづいて削除対象とするクッキー情報を選択し、クッキー情報生成／削除部１３に通知する処理手段である。
【００５２】
クッキー容量管理部１４は、例えば、ａ）最も古く生成されたクッキー情報もしくはｂ）最も有効期限が近いクッキー情報であって、ユーザ保護設定がされていないものを削除対象とする。
【００５３】
また、クッキー容量管理部１４は、ウェブブラウザ２からブックマーク情報の削除通知があると、そのブックマーク情報のＵＲＬのディレクトリ配下のクッキー情報を削除対象とし、クッキー情報生成／削除部１３に通知する。
【００５４】
または、クッキー容量管理部１４は、クッキー情報記憶部３の残容量が所定の容量以下もしくは保存要求されたクッキー情報の容量以下の場合に、残容量不足をウェブブラウザ２に通知してクッキー情報の一覧を表示させ、ユーザによって選択された削除対象をクッキー情報生成／削除部１３に通知する。
【００５５】
また、クッキー情報の一覧表示において、削除対象としないクッキー情報をユーザに指定させ、ユーザが指定したクッキー情報にユーザ保護設定を設定できるようにし、ユーザ保護設定のクッキー情報を全体設定管理部１１に通知する。
【００５６】
ウェブブラウザ２では、クッキー情報記憶部３の残容量を表示し、クッキー情報作成が不可であることをユーザに知らせ、クッキー情報の一覧を表示して、現在格納されているクッキー情報の削除を行うかを問い合わせる。ここで、クッキー情報記憶部３の残容量として、使用可能な残量がパーセント（％）で表示される。
【００５７】
クッキー情報の一覧表示では、有効期限が近い順、名前順、ドメイン名順などでクッキー情報を並べ変えて表示するようにしてもよい。また、クッキー情報を、ドメイン名、ＵＲＬ、パス名単位など、所定の括り単位でまとめて表示するようにしてもよい。この場合に、一括りにしたクッキー情報のドメイン名のみを表示する。また、ドメイン名配下のクッキー情報の総数を別に表示してもよい。
【００５８】
また、クッキー情報をドメインまたはディレクトリ単位でまとめて表示する場合に、その基本ＨＴＭＬページ（該当するディクレトリのみで参照可能なページあるいはディレクトリ直下のｉｎｄｅｘ．ｈｔｍｌなどのページ）が取得済みであって、かつそのページにＴＩＴＬＥが存在する場合に、そのＴＩＴＬＥをクッキー情報の表示名として使用してもよい。
【００５９】
また、クッキー情報の一覧表示において、クッキー情報が、ブックマーク情報や、履歴情報と連動していることを示すマークを表示してもよい。
【００６０】
また、クッキー容量管理部１４は、ＵＲＬ履歴記憶部５のＵＲＬ履歴情報についても、ブックマーク記憶部４のブックマーク情報と同様に扱い、削除対象となるクッキー情報をクッキー情報生成／削除部１３に通知する。
【００６１】
ブックマーク通信部４０は、他の携帯電話端末１へのブックマーク情報の転送要求があると、ファイル単位でブックマーク情報とクッキー情報とを送信する。具体的には、ブックマーク記憶部４のブックマーク情報全体を、所定のデータ交換形式のデータファイルに変換し、さらに、クッキー情報記憶部３のクッキー情報全体を所定のデータ交換形式のデータファイルに変換し、これらのファイルを要求元の携帯電話端末１に送信する。
【００６２】
または、ブックマーク通信部４０は、データ単位でブックマーク情報とクッキー情報とを送信する。ブックマーク通信部４０は、ブックマーク記憶部４のブックマーク情報を取り出し、取り出したブックマーク情報に対応するクッキー情報の取り出しをクッキー情報管理部１０に依頼する。クッキー情報管理部１０では、ブックマーク情報のＵＲＬと同じドメイン名およびパス名が設定されたクッキー情報を取り出し、ブックマーク通信部４０に渡す。ブックマーク通信部４０は、ブックマーク情報とクッキー情報とを組み合わせ、所定のデータ交換形式へ変換して通信データを生成し、通信データを要求元の携帯電話端末１に送信する。
【００６３】
所定のデータ交換形式としては、例えばＩｒＭＣなどを用いる。また、データ通信は、ＵＳＢ、ＩｒＤＡ、Ｂｌｕｅｔｏｏｔｈなどのデータ通信規格を用いる。
【００６４】
図４〜図６を用いて、実施例における本発明の処理の流れを説明する。
【００６５】
図４は、クッキー情報の保存要求に対する許否判定処理の処理フロー図である。
【００６６】
クッキー情報管理部１０は、ウェブブラウザ２から、クッキー情報の保存要求を受け付けると（ステップＳ１）、クッキー情報記憶部３にクッキー情報を保存可能な残容量があるかどうかを調べる（ステップＳ２）。クッキー情報記憶部３に十分な残容量がなければ、クッキー情報削除処理を行う（ステップＳ３）。クッキー情報記憶部３に十分な残容量があれば、ブックマーク設定管理部２０に対し、クッキー情報のドメイン名およびパス名によるブックマーク情報の検索を要求する（ステップＳ４）。
【００６７】
ブックマーク設定管理部２０は、クッキー情報管理部１０からブックマーク検索要求を受け付けると（ステップＳ５）、ブックマーク記憶部４に、クッキー情報のドメイン名が一致かつパス名が前方一致するＵＲＬを持つブックマーク情報があるかどうかを検索し（ステップＳ６）、検索結果として該当するブックマーク情報をクッキー情報管理部１０に通知する（ステップＳ７）。
【００６８】
クッキー情報管理部１０は、ブックマーク設定管理部２０から検索結果のブックマーク情報を受領すると（ステップＳ８）、保存受付設定＝設定なしかどうかを調べ（ステップＳ９）、「保存受付設定＝設定なし」でなければ、受領したブックマーク情報の保存受付設定を受付結果とする（ステップＳ１０）。一方、「保存受付設定＝設定なし」であれば、全体設定記憶部１２を参照して保存受付全体設定（全体設定）を取得し（ステップＳ１１）、取得した全体設定を受付結果とする（ステップＳ１２）。その後、受付結果（許可／拒否）をウェブブラウザ２に返却する（ステップＳ１３）。
【００６９】
さらに、クッキー情報管理部１０は、受付結果が許可（ＯＫ）であれば、保存要求されたクッキー情報をクッキー情報記憶部３に格納する。
【００７０】
図５は、クッキー情報削除処理（図４：ステップＳ３）の処理フロー図である。
【００７１】
クッキー情報管理部１０のクッキー容量管理部１４では、初期値として、チェック値＝０に設定し（ステップＳ３０）、インデックス番号（ｉｎｄｅｘ）＝１を設定する（ステップＳ３１）。そして、ｉｎｄｅｘの値がクッキー情報記憶部３に格納されているクッキー情報数を超えるまで、以下のステップＳ３３〜ステップＳ３７の処理を繰り返す。
【００７２】
まず、クッキー情報記憶部３のｉｎｄｅｘ＝１のクッキー情報を取り出し、そのクッキー情報にユーザ保護設定があるかどうかを調べる（ステップＳ３３）。クッキー情報にユーザ保護設定がなければ、さらに、クッキー情報のドメイン名およびパス名がブックマーク情報のＵＲＬと合致するかどうかを調べる（ステップＳ３４）。そして、クッキー情報のドメイン名およびパス名がブックマーク情報のＵＲＬと合致しなければ、さらに、クッキー情報の有効期限が、チェック値に設定されているクッキー情報の有効期限より現時点に近いかどうかを調べる（ステップＳ３５）。対象となっているクッキー情報の有効期限が、チェック値に設定されたクッキー情報の有効期限より近ければ、チェック値にｉｎｄｅｘの値を設定する（ステップＳ３６）。
【００７３】
そして、ｉｎｄｅｘの値を１加算し（ステップＳ３７）、ｉｎｄｅｘの値がクッキー情報数を超えている場合、すなわち全てのクッキー情報についてステップＳ３３〜ステップＳ３７の処理が終了している場合に、チェック値をクッキー情報生成／削除部１３に返す（ステップＳ３８）。
【００７４】
クッキー情報生成／削除部１３は、返却されたチェック値のｉｎｄｅｘの値にもとづいてクッキー情報記憶部３の該当するクッキー情報を削除する。
【００７５】
図６は、ブックマーク情報の転送処理の処理フロー図である。
【００７６】
ブックマーク通信部４０は、ブックマーク情報の通信要求を受け付けると（ステップＳ５１）、ブックマーク記憶部４からブックマーク情報を取り出し（ステップＳ５２）、さらに、ブックマーク情報のＵＲＬを抽出する（ステップＳ５３）。そして、クッキー情報管理部１０に、抽出したＵＲＬのドメイン名およびパス名が設定されたクッキー情報の取り出しを要求する（ステップＳ５４）。
【００７７】
クッキー情報管理部１０は、ブックマーク通信部４０からの取り出し要求を受け付けると（ステップＳ５５）、要求で指定されたドメイン名およびパス名（ＵＲＬ）をもとにクッキー情報記憶部３を検索し（ステップＳ５６）、合致したクッキー情報を取り出す（ステップＳ５７）。
【００７８】
ブックマーク通信部４０は、クッキー情報管理部１０からクッキー情報を受領すると（ステップＳ５８）、ブックマーク情報とクッキー情報を組み合わせ、所定のデータ形式に変換して通信データを生成し（ステップＳ５９）、生成した通信データを送信する（ステップＳ５１０）。
【００７９】
以上、本発明をその実施の形態により説明したが、本発明はその主旨の範囲において種々の変形が可能であることは当然である。例えば、ウェブブラウザ２においてクッキー情報の一覧を表示する場合、またはブックマーク情報の削除とクッキー情報を削除する場合に、クッキー情報管理部１０は、ユーザに暗証番号の入力を要求し、認証できた場合のみ処理を行うようにしてもよい。
【００８０】
本発明の形態および実施例の特徴を列記すると以下のとおりである。
【００８１】
（付記１）  ウェブページを閲覧するウェブブラウザと、ウェブサイトに関連づけられたクッキー情報を格納するクッキー情報記憶手段と、ユーザによって選択されたウェブサイト位置情報を格納するブックマーク記憶手段とを備えた情報処理端末においてクッキー情報を管理するクッキー情報管理方法であって、
保存要求されたクッキー情報のドメイン名およびパス名を用いて前記ブックマーク記憶手段を検索し、
前記ドメイン名およびパス名と一致するウェブサイト位置情報が前記ブックマーク記憶手段に格納されている場合に、前記クッキー情報を前記クッキー情報記憶手段に格納する
ことを特徴とするクッキー情報管理方法。
【００８２】
（付記２）  前記ブックマーク記憶手段の各ウェブサイト位置情報について、クッキー情報の保存要求の許可または拒否のいずれかを示す保存受付設定を付与し、
前記クッキー情報のドメイン名およびパス名を用いて前記ブックマーク記憶手段を検索し、
前記ドメイン名およびパス名と一致し、かつ許可を示す保存受付設定が付与されたウェブサイト位置情報が前記ブックマーク記憶手段に格納されている場合に、前記クッキー情報を前記クッキー情報記憶手段に格納する
ことを特徴とする前記付記１記載のクッキー情報管理方法。
【００８３】
（付記３）  前記ブックマーク記憶手段からウェブサイト位置情報が削除された場合に、前記ウェブサイト位置情報と一致するドメイン名およびパス名のクッキー情報を前記クッキー情報記憶手段から削除する
ことを特徴とする前記付記１記載のクッキー情報管理方法。
【００８４】
（付記４）  前記クッキー情報記憶手段の空き容量である残容量を調べ、前記残容量が所定の容量以下の場合に、前記クッキー情報記憶手段に格納されたクッキー情報の一覧を作成して表示し、
前記クッキー情報の一覧からユーザによって選択されたクッキー情報を前記クッキー情報記憶手段から削除する
ことを特徴とする前記付記１記載のクッキー情報管理方法。
【００８５】
（付記５）  前記クッキー情報の一覧を表示する場合に、前記残容量を併せて表示する
ことを特徴とする前記付記４記載のクッキー情報管理方法。
【００８６】
（付記６）  前記ブックマーク記憶手段のウェブサイト位置情報のドメイン名およびパス名と一致するクッキー情報を前記クッキー情報記憶手段から取得し、
前記ウェブブラウザにおいて、前記ブックマーク記憶手段に格納された前記ウェブサイト位置情報ごとにクッキー情報の有無を表示する
ことを特徴とする前記付記１記載のクッキー情報管理方法。
【００８７】
（付記７）  前記ブックマーク記憶手段のウェブサイト位置情報のドメイン名およびパス名と一致するクッキー情報を前記クッキー情報記憶手段から取得し、
前記ウェブサイト位置情報および前記クッキー情報を組み合わせた通信データを生成して送信する
ことを特徴とする前記付記１記載のクッキー情報管理方法。
【００８８】
（付記８）  前記ウェブサイト位置情報および前記クッキー情報を組み合わせた通信データを受信し、
前記通信データの前記ウェブサイト位置情報を前記ブックマーク記憶手段に保存し、
前記クッキー情報を前記クッキー情報記憶手段に保存する
ことを特徴とする前記付記７記載のクッキー情報管理方法。
【００８９】
（付記９）  ウェブページを閲覧するウェブブラウザと、ウェブサイトに関連づけられたクッキー情報を格納するクッキー情報記憶手段と、ユーザがアクセスしたウェブページのウェブサイト位置情報を示す位置情報履歴を格納する履歴情報記憶手段とを備えた情報処理端末においてクッキー情報を管理するクッキー情報管理方法であって、
保存要求されたクッキー情報のドメイン名およびパス名を用いて前記履歴情報記憶手段に格納された位置情報履歴を検索し、
前記ドメイン名およびパス名に一致する位置情報履歴が前記履歴情報記憶手段に格納されている場合に、前記クッキー情報を前記クッキー情報記憶手段に格納する
ことを特徴とするクッキー情報管理方法。
【００９０】
（付記１０）  前記履歴情報記憶手段から位置情報履歴が消去された場合に、前記消去された位置情報履歴と一致するドメイン名およびパス名のクッキー情報を前記クッキー情報記憶手段から削除する
ことを特徴とする前記付記９記載のクッキー情報管理方法。
【００９１】
（付記１１）  ウェブページを閲覧するウェブブラウザと、ユーザによって選択されたウェブページのウェブサイト位置情報であるブックマーク位置情報を格納するブックマーク記憶手段とを備える情報処理端末であって、
ウェブサイトに関連づけられたクッキー情報を格納するクッキー情報記憶手段と、
保存要求されたクッキー情報のドメイン名およびパス名を用いて前記ブックマーク記憶手段を検索し、前記ドメイン名およびパス名と一致するウェブサイト位置情報が前記ブックマーク記憶手段に格納されている場合に、前記クッキー情報を前記クッキー情報記憶手段に格納するクッキー情報管理手段とを備える
ことを特徴とする情報処理端末。
【００９２】
（付記１２）  ウェブページを閲覧するウェブブラウザと、ユーザがアクセスしたウェブページの位置情報を示す位置情報履歴を格納する履歴情報記憶手段とを備える情報処理端末であって、
ウェブサイトに関連づけられたクッキー情報を格納するクッキー情報記憶手段と、
保存要求されたクッキー情報のドメイン名およびパス名を用いて前記履歴情報記憶手段を検索し、前記ドメイン名およびパス名と一致する位置情報履歴が前記履歴情報記憶手段に格納されていた場合に、前記クッキー情報を前記クッキー情報記憶手段に格納するクッキー情報管理手段とを備える
ことを特徴とする情報処理端末。
【００９３】
（付記１３）  ウェブページを閲覧するウェブブラウザと、ウェブサイトに関連づけられたクッキー情報を格納するクッキー情報記憶手段と、ユーザによって選択されたウェブサイト位置情報を格納するブックマーク記憶手段とを備えた情報処理端末に、クッキー情報を管理するクッキー情報管理処理を実行させるためのプログラムであって、
保存要求されたクッキー情報のドメイン名およびパス名を用いて前記ブックマーク記憶手段を検索し、
前記ドメイン名およびパス名と一致するウェブサイト位置情報が前記ブックマーク記憶手段に格納されている場合に、前記クッキー情報を前記クッキー情報記憶手段に格納するプログラムである
ことを特徴とするクッキー情報管理プログラム。
【００９４】
（付記１４）  ウェブページを閲覧するウェブブラウザと、ウェブサイトに関連づけられたクッキー情報を格納するクッキー情報記憶手段と、ユーザがアクセスしたウェブページのウェブサイト位置情報を示す位置情報履歴を格納する履歴情報記憶手段とを備えた情報処理端末に、クッキー情報を管理するクッキー情報管理処理を実行させるためのプログラムであって、
保存要求されたクッキー情報のドメイン名およびパス名を用いて前記履歴情報記憶手段に格納された位置情報履歴を検索し、
前記ドメイン名およびパス名に一致する位置情報履歴が前記履歴情報記憶手段に格納されている場合に、前記クッキー情報を前記クッキー情報記憶手段に格納するプログラムである
ことを特徴とするクッキー情報管理プログラム。
【図面の簡単な説明】
【００９５】
【図１】実施例における本発明の構成例を示す図である。
【図２】クッキー情報のデータ構成例を示す図である。
【図３】ブックマーク情報のデータ構成例を示す図である。
【図４】クッキー情報の保存要求に対する許否判定処理の処理フロー図である。
【図５】クッキー情報削除処理の処理フロー図である。
【図６】ブックマーク情報の転送処理の処理フロー図である。
【符号の説明】
【００９６】
１  携帯電話端末
２  ウェブブラウザ
３  クッキー情報記憶部
４  ブックマーク記憶部
５  ＵＲＬ履歴記憶部
１０  クッキー情報管理部
１１  全体設定管理部
１２  全体設定記憶部
１３  クッキー情報生成／削除部
１４  クッキー容量管理部
２０  ブックマーク設定管理部
３０  ＵＲＬ履歴設定管理部
４０  ブックマーク通信部
【図１】
2005339454.tif 000003
【図２】
2005339454.tif 000004
【図３】
2005339454.tif 000005
【図４】
2005339454.tif 000006
【図５】
2005339454.tif 000007
【図６】
2005339454.tif 000008